(57)【要約】      （修正有）【課題】自己回復する電源で繰り返し使える機械を提供する。【解決手段】発電機としても使える直流モ−タ−の軸心に、対称的で慣性モ−メントのある程度大きな物を付け、２個の蓄電器を直列に繋ぎ、これを回転させる事によって、回転が早くなった分だけより大きな電力を得、蓄電器の電圧を大きくさせる直流電気機関。【選択図】図１
0003136661.tif 000002
【実用新案登録請求の範囲】
【請求項１】
遠心力及び重力駆動型動力機関、又円盤型動力機関をバッテリ−の直流でデスクグラインダ−等のユニバ−サルモ−タ−で駆動し、回転力の上がった直流モ−タ−の入力側から直流を取り出してバッテリ−に戻し、出てきた増幅された直流を利用する事を特徴とする直流電気機関。
【請求項２】
直流モ−タ−の入力側の端子を、直流モ−タ−をバッテリ−で回転させないで出力を取り出す様若干変則的に配線した事を特徴とする請求項１の直流電気機関。
【請求項３】
直流モ−タ−の入力を１２ボルトの蓄電器２個に直列に繋ぎ、直流モ−タ−の軸心に設備し、
スイッチをオンにすると直流モ−タ−が回転すると同時に蓄電器の端子に直流モ−タ−から発生する電力が入りつつ回転速度を上げ蓄電器の最高プラスの先端極から出て行くプラス電荷よりも、直流モ−タ−に慣性モ−メントのある程度大きな物を駆動させ直流をいくらか増幅して得た、プラス電荷を２つ直流に繋いだ初めの最低プラスの電極に入れると２つの蓄電器群の電圧はいくらか増加するが、オンの時間を５から１０秒程度にし、オフの時間を２０分から１時間として、オン、オフはスイッチ１、及びスイッチ２で行なうが、両スイッチはほとんど同時にオン、オン、又はオフオフと作動させ、るが、普段オフ、オフにしておき、蓄電器の電圧を上げようとするとき一時的にオンにする。又特に直流モ−タ−の入出力を蓄電器群のプラス電極同士で行なう事、又直流モ−タ−に慣性モ−メントのいくらか大きな物を設備した物を作動させた時、回転増幅作用で回転速度が大きくなりその時出力電流が増加するが、同時に蓄電器から入力電流も引っ張り込むのでそその引っ張り電流の一部を元の方から半分程度直流モ−タ−を介さないで後ろの列の蓄電器のプラス電極に数オ−ムの負荷抵抗を付けてバイパス的に戻す配線をした事を特徴とする請求項１の直流電気機関。
【考案の詳細な説明】
【技術分野】
【０００１】本考案は回転力増幅作用のある動力機関、又直流モ−タ−の特殊性を利用して蓄電器等を使って電気機関を構成するものである。
【背景技術】
【０００２】デスクグラインダ−等のユニバ−サルモ−タ−に各種の回転力増幅作用のある機構を組み込み、又直流モ−タ−が回転を増加させる機構があれば交流モ−タ−と異なって回転数が増加すれば電力も増加させる性能があるという基礎技術がある。
【考案の開示】
【考案が解決しようとする課題】
【０００３】
【０００４】この考案が解決しようとする課題は、いかにして自然界に存在する力、機械等を利用して繰り返しの効く電気機関を開発するかという点にある。
【課題を解決する為の手段】
【０００５】ここでは各種回転力増幅機構を利用し、又一方で直流モ−タ−の発電作用を利用した。
【考案の効果】
【０００６】この電気機関を利用して増幅された電力を得、また蓄電器で使用された以上の電気が充電され蓄電器の電圧も回転前より高くなった。
【考案を実施する為の最良の形態】
【０００７】コンパクトで機械的、電気的にも丈夫な構造が望ましい。
【実施例１】
【０００８】図１に示す構造の電気機関に依って電力を得た。ここでも請求項２の改良もなされた。
【実施例２】
【０００９】図２に示す構造の電気機関に依って電力を得た。ここでも請求項２の改良もなされた。
【実施例３】
【００１０】図３に示す構造の電気機関に依って電力を得た。ここでも請求項２の改良もなされた。
【実施例４】
【００１１】図４に示す構造の電気機関に依って電力を得た。ここでも請求項２の改良もなされた。
【実施例５】
【００１２】図５に示す構造の電気機関に依って電力を得た。ここでも請求項２の改良もなされた。
【実施例６】
【００１３】図６に示す構造の電気機関に依って電力を得た。ここでも請求項２の改良もなされた。
【実施例７】
【００１４】図７に示す構造の電気機関に依って電力を得た。ここでも請求項２の改良もなされた。
【実施例８】
【００１５】図８に示す構造の電気機関に依って電力を得た。ここでも請求項２の改良もなされた。
【実施例９】
【００１６】図９に示す構造の電気機関に依って電力を得た。ここでも請求項２の改良もなされた。
【実施例１０】
【００１７】図１０に示す構造の電気機関に依って電力を得た。ここでは電気的入力２４ボルト、６アンペアで電気的出力２４ボルト８アンペアの電力で約１．３倍の出力を得た。
【実施例１１】
【００１８】蓄電器を２個用意し、直列に結線し、概略１２．０ボルトの直流電圧で作動させ、蓄電器の総電圧２４．３５ボルト、で直流モ−タ−を作動させ、結果的に蓄電器の総電圧は２４．３８ボルトとなり、作動に依って電圧を上げた。
【産業上の利用可能性】
【００１９】この直流電気機関は繰り返しが効く電源なので、汎用性が高く市場も大きいと思われる。
【図面の簡単な説明】
【００２０】
【図１】図１は請求項１の電気機関の増幅源として円盤型動力機関を採用した半立面斜視図である。
【００２１】
【図２】図２は請求項１の電気機関の増幅源として円盤型動力機関を採用しプ−リ−を使って駆動するタイプの電気機関の立面図である。
【００２２】
【図３】図３は図２において、円盤型増幅源の別のタイプの物を採用した電気機関の立面斜視図である。
【００２３】
【図４】図４は請求項１の電気機関の増幅源として遠心力及び重力駆動型動力機関を採用した電気機関の立面斜視図である。
【００２４】
【図５】図５は電気機関の増幅源として遠心力及び重力駆動型動力機関を使用し、プ−リ−を使って駆動するタイプの電気機関の立面図である。
【００２５】
【図６】図６は図５において遠心力及び重力駆動型動力機関の別のタイプを採用した電気機関の立面図である。
【００２６】
【図７】図７は請求項１の電気機関の増幅源として円盤型動力機関及び、遠心力及び重力駆動型動力機関の両方を採用した電気機関の立面斜視図である。
【００２７】
【図８】図８は電気機関の増幅源として円盤型動力機関及び、遠心力及び重力駆動型動力機関の両方を採用し、プ−リ−を使って駆動するタイプの電気機関の立面図である。
【００２８】
【図９】図９は図８において円盤型動力機関及び、遠心力及び重力駆動型動力機関の別のタイプを採用した電気機関の立面図である。
【００２９】
【図１０】図１０は円盤型動力機関を駆動源として請求項１へ変則的結線を採用した請求項２の立面斜視図である。
【００３０】
【図１１】図１１は請求項３の電気機関の立面図で一部斜視図である。
【符号の説明】
【００３１】▲１▼直径３０センチメ−トル程度の円盤
▲２▼デスクグラインダ−等のユニバ−サルモ−タ−
▲３▼直流モ−タ−
▲４▼バッテリ−
▲５▼カップリング部
▲６▼電流、電圧スイッチ
▲７▼プ−リ−
▲８▼たすき掛けベルト
▲９▼支持台
▲１０▼遠心力及び重力駆動型動力機関
▲１１▼入力アンペアメ−タ−
▲１２▼出力アンペアメ−タ−
▲１３▼直流モ−タ−
▲１４▼対称的で慣性モ−メントのある程度大きい物
▲１５▼接合部
▲１６▼１２ボルト蓄電器
▲１７▼固定台
▲１８▼スイッチ１
▲１９▼数オ−ムの負荷抵抗
▲２０▼バイパス回路
▲２１▼スイッチ２
【図１】
0003136661.tif 000003
【図２】
0003136661.tif 000004
【図３】
0003136661.tif 000005
【図４】
0003136661.tif 000006
【図５】
0003136661.tif 000007
【図６】
0003136661.tif 000008
【図７】
0003136661.tif 000009
【図８】
0003136661.tif 000010
【図９】
0003136661.tif 000011
【図１０】
0003136661.tif 000012
【図１１】
0003136661.tif 000013
【手続補正書】
【提出日】平成18年11月5日(2006.11.5)
【手続補正１】
【補正対象書類名】実用新案登録請求の範囲
【補正対象項目名】全文
【補正方法】変更
【補正の内容】
【実用新案登録請求の範囲】
【請求項１】
遠心力及び重力駆動型動力機関、又は円盤型動力機関をバッテリ−の直流でデスクグラインダ−等のユニバ−サルモ−タ−で駆動し、回転力の上がった直流モ−タ−から直流を取り出してバッテリ−に戻し、出てきた増幅された直流を利用する事を特徴とする直流電気機関。
【請求項２】
直流モ−タ−の入力側の端子を、直流モ−タ−をバッテリ−で回転させないで出力を取り出す様若干変則的に配線した事を特徴とする請求項１の直流電気機関。
【請求項３】
この考案において、
（１）直流モ−タ−の入力を１２ボルトの蓄電器２個に直列に繋ぎ、直流モ−タ−の軸心に対称的で慣性モ−メントのある程度大きな物をいくらか滑らすように設備し、スイッチをオンにすると直流モ−タ−が回転すると同時に蓄電器の端子に直流モ−タ−から発生する電力が入りつつ回転速度を上げ蓄電器の最高プラスの先端極から出て行くプラス電荷よりも直流をいくらか増幅して得たプラス電荷を２つ直列に繋いだ初めの最低プラスの電極に入れると２つの蓄電器群の電圧がいくらか増加する事、
（２）作動の時間を５から１０秒程度にし、不作動の時間を２０分から１時間として、作動、不作動はスイッチ１、及びスイッチ２で行なうが、両スイッチはほとんど同時に作動、作動又は不作動、不作動と作動させ、普段は不作動、不作動にしておき、蓄電器の電圧を上げようとするとき一時的に作動、作動にする事、
（３）直流モ−タ−の入出力を蓄電器群のプラス電極同士で行なう事、
（４）作動させた時、回転増幅作用で回転速度が大きくなりその時出力電流が増加するが、同時に蓄電器から入力電流も引っ張り込むので、その引っ張り電流の一部を元の方から半分程度、直流モ−タ−を介さないで、後ろの列の蓄電器のプラス電極に数オ−ムの負荷抵抗を付けてバイパス的に戻す配線をした事、
以上からなる請求項１の直流電気機関。
【手続補正書】
【提出日】平成19年3月14日(2007.3.14)
【手続補正１】
【補正対象書類名】実用新案登録請求の範囲
【補正対象項目名】全文
【補正方法】変更
【補正の内容】
【実用新案登録請求の範囲】
【請求項１】
遠心力及び重力駆動型動力機関、又は前願のベクトル変換型動力機関等をバッテリ−の直流で駆動し、直流モ−タ−は回転力が上がりその分電圧の上がった直流モ−タ−側の電圧上昇分を利用してその分バッテリ−を通じて外部に仕事をかなりな時間させることを特徴とする直流電気機関。
【請求項２】
この考案において、
（１）直流モ−タ−の入力を１２ボルトの蓄電器２個に直列に繋ぎ、直流モ−タ−の軸心に、中心から離れた細長棒の先端部分の回転棒がモ−タ−回転と同時に周方向部分に力を作用させその為回転速度を上げさせる遠心力重力型動力機関を設備し、スイッチをオンにすると直流モ−タ−が回転すると同時に蓄電器の端子に高電圧になった直流モ−タ−から発生する電力が入りつつ蓄電器の最高プラスの先端極から出て行くプラス電荷よりも直流をいくらか増幅して得たプラス電荷を２つ直列に繋いだ初めの最低プラスの電極に入れると２つの蓄電器群の電圧がいくらか増加する事、
（２）作動の時間を３秒から１０秒程度にし、不作動の時間を２０分から１時間として、作動、不作動はスイッチ１、及びスイッチ２で行なうが、両スイッチはほとんど同時に作動、作動、又は不作動、不作動とさせるが、普段作動、作動にしておき、蓄電器の電圧を上げようとする時、１時的に作動にする。
（３）回転増幅作用で回転速度が大きくなり、その時出力電圧が増加するが、同時に蓄電器から電流も引っ張り込むので、その引っ張り電流の一部を元の方から半分程度直流モ−タ−を介さないで後ろの列の蓄電器のプラス電極に負荷抵抗をつけてバイパス的に戻す配線をした事。
以上から成る
請求項１の直流電気機関。
【手続補正２】
【補正対象書類名】明細書
【補正対象項目名】全文
【補正方法】変更
【補正の内容】
【考案の詳細な説明】
【技術分野】
【０００１】本考案は回転力増幅作用のある動力機関、又直流モ−タ−の特殊性を利用して蓄電器等を使って電気機関を構成するものである。
【背景技術】
【０００２】直流モ−タ−に各種の回転力増幅作用のある機構を組み込み、又直流モ−タ−が回転を増加させる機構があれば交流モ−タ−と異なって回転数が増加すれば電力も増加させる性能があるという基礎技術がある。
【考案の開示】
【０００３】
【考案が解決しようとする課題】
【０００４】この考案が解決しようとする課題は、いかにして自然界に存在する力、機械等を利用して長持ちのする電気機関を開発するかという点にある。
【課題を解決する為の手段】
【０００５】ここでは各種回転力増幅機構を利用し、又一方で直流モ−タ−の発電作用を利用した。
【考案の効果】
【０００６】この電気機関を利用して蓄電器に電気が充電され蓄電器の電圧も回転前より高くなった。
【考案を実施する為の最良の形態】
【０００７】コンパクトで機械的、電気的にも丈夫な構造が望ましい。
【実施例１】
【０００８】図１に示す構造の電気機関に依って電力を得た。
【実施例２】
【０００９】図２に示す構造の電気機関に依って電力を得た。
【実施例３】
【００１０】蓄電器を２個用意し、直列に結線し、概略１２．０ボルト２個合計２４．０ボルトの電圧で作動させ、蓄電器の総電圧２４．３５ボルト、で直流モ−タ−を作動させ、結果的に蓄電器の総電圧は２４．３８ボルトとなり、作動に依って電圧を上げた。
【産業上の利用可能性】
【００１１】  この直流電気機関は長持ちのする電源なので、汎用性が高く市場も大きいと思われる。バッテリ−充電機にもなる。
【図面の簡単な説明】
【００１２】
【図１１】図１１は請求項１の電気機関の増幅源としてベクトル変換型動力機関を採用した半立面斜視図である。
【図２】図２は請求項１の電気機関の増幅源として遠心力重力駆動型動力機関を採用した半立面斜視図である。
【図３】図３は請求項２の電気機関の立面図で一部斜視図である。
【符号の説明】
【００１３】  ▲１▼直流モ−タ−
▲２▼バッテリ−
▲３▼電流、電圧スイッチ
▲４▼支持台
▲５▼遠心力及び重力駆動型動力機関
▲６▼入力アンペアメ−タ−
▲７▼出力アンペアメ−タ−
▲８▼接合部
▲９▼１２ボルト蓄電器
▲１０▼スイッチ１
▲１１▼負荷抵抗
▲１２▼バイパス回路
▲１３▼スイッチ２
▲１４▼ベクトル変換型動力機関
▲１５▼重り
【手続補正３】
【補正対象書類名】図面
【補正対象項目名】全図
【補正方法】変更
【補正の内容】
【図１１】
0003136661.tif 000014
【図２】
0003136661.tif 000015
【図３】
0003136661.tif 000016
【手続補正書】
【提出日】平成19年7月14日(2007.7.14)
【手続補正１】
【補正対象書類名】実用新案登録請求の範囲
【補正対象項目名】全文
【補正方法】変更
【補正の内容】
【実用新案登録請求の範囲】
【請求項１】
装置全体を水平から十分にっ傾け重力の作用が十分に働くように用意し、細長平板の中心に中心軸を持ち、両翼に、回転方向に向かって後ろ側に回転中心を持つ先端平板を回転の安定の為ゴムで半固定し、全体を回転させた時先端の平板部が重力及び遠心力の作用で作用棒を回転駆動させる部分を持ち効率良くエネルギ−を利用出来る事を特徴とする遠心力及び重力駆動型動力機関。
【手続補正２】
【補正対象書類名】明細書
【補正対象項目名】全文
【補正方法】変更
【補正の内容】
【考案の詳細な説明】
【技術分野】
【０００１】本考案はデスクグラインダ−及びスライドトランスを使用し、又駆動源の基礎として遠心力及び重力の合力を使用してエネルギ−効率の良い動力機関を作るものである。
【背景技術】
【０００２】力には自然に存在する重力、表面張力、静電気による力、磁気力等、又は物体の運動に伴って現れる遠心力、コリオリの力等が数々あるがここでは、そのうち重力及び遠心力の双方を利用して動力機関の基礎とするものである。
【考案の開示】
【考案が解決しようとする課題】
【０００３】この考案が解決しようとする課題はいかにして自然界に存在する力を利用して動力、エネルギ−として利用するかという点にある。
【課題を解決する為の手段】
【０００４】ここではすでに自然界に存在している重力及び遠心力と言う古来からある物理法則の組み合わせに依ってこの問題を解決した。
【考案の効果】
【０００５】動力機関としてエネルギ−効率が従来の２倍から３倍効率の良いものが出来た。
【発明を実施する為の最良の形態】
【０００６】回転体は中心が十分に出ていないと効率が下がるので注意しなければならない。
【実施例１】
【０００７】図１の如く、効率利用用構造物をデスクグラインダ−で強制回転を始めると効率利用構造部の両翼にある平板が回転と同時に遠心力を持ち初め、作動棒を全面進行方向に押し出して行き、又、装置全体が斜め勾配を持っているので重力の作用で左に来た時は作動棒に重力が働き、右に来た時は重力は働かないで慣性モ−メントも小さくなる。
この様にして効率の良い動力機関が出来た。
【実施例２】
【０００８】図２の如く、この動力機関にプ−リ−を付け他の回転体を回転させた時も、遠心力及び重力の作用に依って、効率の良い形態が他の回転体にも現れた。
【産業上の利用可能性】
【０００９】熱的、機械的に拡大された効率の良い動力機関はモ−タ−、コンプレッサ−等の動力源として省エネルギ−、省電力効果が期待される。
【図面の簡単な説明】
【００１０】
【図１】図１は請求項１の動力機関の内、プ−リ−を使わず開放系で作動した時の立面斜視図である。
【００１１】
【図２】図２は請求項１の動力機関の内、プ−リ−を付け、外部の回転体を駆動させた時の立面斜視図である。
【符号の説明】
【００１２】▲１▼細長平板
▲２▼中心軸
▲３▼先端平板
▲４▼先端回転中心
▲５▼作動棒
▲６▼半固定用ゴム
▲７▼デスクグラインダ−
▲８▼スライドトランス
▲９▼１００ボルト、５０、６０ヘルツ電源
▲１０▼小直径プ−リ−
▲１１▼ベルト
▲１２▼中直径プ−リ−
▲１３▼モ−タ−、デスクグラインダ−、コンプレッサ−、ポンプ等。
【手続補正３】
【補正対象書類名】図面
【補正対象項目名】全図
【補正方法】変更
【補正の内容】
【図１】
0003136661.tif 000017
【図２】
0003136661.tif 000018